(57)【要約】【課題】  軸筒押圧式筆記具或いはペン体押圧式筆記具に用いられるインキ保持部材であってその表面に樹脂被覆層を設けて水性インキの濡れ性を向上させ、結果ボタ落ち等の不具合を解消した筆記具用部材、及びその筆記具用部材を用いた筆記具を提供する。【解決手段】  インキ保持部材の表面にアクリル樹脂或いはポリビニルブチラール樹脂の被覆層を設ける。前記筆記具用部材が軸筒押圧式筆記具或いはペン体押圧式筆記具のペン先部材に配設されるインキ保持部材である。前記筆記具用部材を装着した筆記具。【選択図】  なし【特許請求の範囲】
【請求項１】
水性インキを内蔵する筆記具に用いられる筆記具用部材であって、その表面にアクリル樹脂或いはポリビニルブチラール樹脂からなる被覆層を形成したことを特徴とする筆記具用部材。
【請求項２】
前記被覆層が、酸価５ｍｇＫＯＨ／ｇ以上のアクリル樹脂或いはブチラール度７０ｍｏｌ％以上のポリビニルブチラールで形成されていることを特徴とする請求項１記載の筆記具用部材。
【請求項３】
前記筆記具用部材が軸筒押圧式筆記具或いはペン体押圧式筆記具のペン先部材に配設されるインキ保持部材であることを特徴とする請求項１又は２記載の筆記具用部材。
【請求項４】
前記筆記具用部材がウレタンフォーム、ポリエステル繊維加工体及びポリオレフィン繊維加工体から選ばれる一種又はそれらの組合せであることを特徴とする請求項１乃至３のいずれかに記載の筆記具用部材。
【請求項５】
請求項１乃至４のいずれかに記載の筆記具用部材を装着したことを特徴とする筆記具。
【発明の詳細な説明】
【技術分野】
【０００１】
本発明は筆記具用部材及びそれを用いた筆記具に関する。更に詳細には、軸筒押圧式筆記具或いはペン体押圧式筆記具のペン先部材に配設されるインキ保持部材であってその表面に特定樹脂の被覆層を設け、インキの濡れ性を向上したことを特徴とする筆記具用部材及びそれを用いた筆記具に関する。
【背景技術】
【０００２】
筆記具用部材のインキ濡れ性向上に関しては従来から各種の方法が開示されている。例えばクロム酸含有液によるエッチング処理（例えば特許文献１参照）、或いは低圧・低温環境下でのプラズマ処理（例えば特許文献２参照）等が提案されている。
【先行技術文献】
【特許文献】
【０００３】
【特許文献１】特公平０１−０６０４３９号公報
【特許文献２】特開平０５−２３８１８６号公報
【発明の概要】
【発明が解決しようとする課題】
【０００４】
しかしながら、前記クロム酸含有液による処理はインキの濡れ性向上効果は認められるものの、クロム酸含有液自体の毒性が高く、取扱いが難しい。又、処理した後、処理品を洗浄しなければならないが、洗浄液を廃棄する際も還元処理等の手間がかかってしまい、コストが高くなってしまう。
プラズマ処理も濡れ性は向上するが、処理装置が高価であるため処理された部品の単価が高くなってしまう。
【０００５】
本発明は、安価にしかも簡便にインキに対する濡れ性を向上することができる筆記具用部材及びそれを用いた筆記具を提供するものである。
【課題を解決するための手段】
【０００６】
本発明の筆記具用部材は、その表面にアクリル樹脂或いはポリビニルブチラール樹脂からなる被覆層を形成したことを要件とする。又、前記被覆層が、酸価５ｍｇＫＯＨ／ｇ以上のアクリル樹脂或いはブチラール度７０ｍｏｌ％以上のポリビニルブチラールで形成されていること、前記筆記具用部材が軸筒押圧式筆記具或いはペン体押圧式筆記具のペン先部材に配設されるインキ保持部材であること、前記筆記具用部材がウレタンフォーム、ポリエステル繊維加工体及びポリオレフィン繊維加工体から選ばれる一種又はそれらの組合せであることを要件とする。更には前記の被覆層を形成した筆記具用部材を装着した筆記具を要件とする
【発明の効果】
【０００７】
本発明の筆記具用部材は、その表面にアクリル樹脂或いはポリビニルブチラール樹脂からなる被覆層を形成することにより、インキに対する濡れ性を向上することができ、その結果筆記具本体からのインキ洩れを防ぎ、インキタンクからペン先までの良好なインキ供給を達成することができる。
【発明を実施するための形態】
【０００８】
本発明の筆記具用部材としては実公昭６１−３６３８６号に開示されている二重パイプ構造の直液式筆記具に用いられる吸蔵体が例示できる。ここに記載された筆記具は軸筒を押圧してインキをインキタンクからペン体側へ供給する軸筒押圧式筆記具であり、押圧によるインキ供給の際に過剰のインキが筆記具外に洩れないよう保持する部材が前記吸蔵体である。
又、ペン体押圧式筆記具は例えば特開平１１−３３４２７８号公報に開示された構造が例示できる。この公報に記載された筆記具は、ペン体を筆記面に押圧することにより弁が開き、インキタンクからペン体方向にインキが供給される。このとき過剰なインキが筆記具外に漏れ出さないように保持する部材がインキ吸蔵体である。
【０００９】
前記吸蔵体或いはインキ吸蔵体に代表されるインキ保持部材は主にウレタンフォーム、ポリエステル繊維加工体等からなる。これらの表面は親水性処理を施さないと、水性インキに対する親和性が低いため、水性インキを十分に吸収、保持することができない。
本発明はこのインキ保持部材表面にアクリル樹脂或いはポリビニルブチラール樹脂の被覆層を形成することによりインキに対する濡れ性を向上させ、過剰インキが筆記具外部に漏れ出すことを防止しようとするものである。
【００１０】
前記アクリル樹脂としてはアクリル酸、アクリル酸エステル、メタクリル酸、メタクリル酸エステルの重合体、或いはそれらの共重合体、及び前記アクリル化合物と重合可能なビニル化合物との共重合体で、酸価が５ｍｇＫＯＨ／ｇ以上であるものが用いられる。
前記アクリル樹脂は酸価が低いほど極性が低く、低酸価のアクリル樹脂で処理されたインキ保持部材は、表面の疎水性が高く、水性インキの濡れ性が悪いためインキの保持力が不十分となる。アクリル樹脂の酸価は5ｍｇＫＯＨ/ｇ以上を要件とする。
【００１１】
又、前記ポリビニルブチラール樹脂はポリビニルアルコールとブチルアルデヒドとの反応により作られる。ブチラール化度が低いポリビニルブチラール樹脂は、水に相溶する性質があり、ブチラール化度が低いポリビニルブチラール樹脂で、処理されたインキ保持部材は、水性インキによって処理層が溶出してしまい効果が得られない。従ってブチラール樹脂はブチラール化度７０ｍｏｌ％以上を要件とする。具体例としては、エスレックＢＬ−２Ｈ、エスレックＢＬ−５、エスレックＢＬ−１０、エスレックＢＬ−Ｓ、エスレックＢＬ−ＳＨ、エスレックＢＭ−Ｓ、エスレックＢＭ−ＳＨ、エスレックＢＨ−３、エスレックＢＨ−６、エスレックＢＨ−Ｓ（以上商品名、積水化学工業（株）製）を挙げることができる。
【００１２】
本発明の筆記具用部材（インキ保持部材）は前記アクリル樹脂或いはポリビニルブチラール樹脂を有機溶剤に適宜量溶解した処理液に浸漬し、取り出し後室温で乾燥することにより得られる。前記有機溶剤としてはエチルアルコール、プロピルアルコール、イソプロピルアルコール等のアルコール類、メトキシプロパノール、エトキシプロパノール等のグリコールエーテル類、酢酸エチル、酢酸ブチル等のエステル類、メチルエチルケトン、メチルイソブチルケトン等ケトン系溶剤が挙げられる。
【実施例】
【００１３】
本発明の効果を以下に示す実施例及び比較例により詳細に説明する。
〔処理液の調製〕
アクリル樹脂〔商品名ダイヤナールＢＲ-７７・三菱レイヨン（株）製、酸価５ｍｇＫＯＨ／ｇ〕５ｇを酢酸ブチル９５ｇに溶解したものを処理液Ａとした。
ポリビニルブチラール樹脂〔商品名エスレックＢＬ−Ｓ・積水化学工業（株）製、ブチラール化度７４ｍｏｌ％〕５ｇをプロピレングリコールものメチルエーテル９５ｇに溶解したものを処理液Ｂとした。
【００１４】
〔筆記具用部材の表面処理〕
全長１４ｍｍ、外径１２ｍｍで長手方向中心部に内径５ｍｍの空孔を備えた円筒形状のポリエステル系ウレタンフォームからなるインキ保持部材を、前記処理液Ａに１０分間浸漬し取り出した後乾燥させ、インキ保持部材Ｃを得た。
全長６ｍｍ、外径１０ｍｍで中心部に内径５ｍｍの空孔を備えた円筒形状のポリエステル系ウレタンフォームからなるインキ保持部材を、前記処理液Ｂに１５分間浸漬し、取り出した後乾燥させ、インキ保持部材Ｄを得た。
【００１５】
〔筆記具の作成〕
インキ保持部材Ｃを実公昭６１−３６３８６号に開示されている二重パイプ構造の直液式筆ペンに組み付け、水性インキを所定量充填したものを実施例１とした。
インキ保持部材Ｄを特開平１１−３３４２７８号公報に開示された構造の直液式マーキングペンに組み付け、水性インキを所定量充填したものを実施例２とした。
又実施例１のインキ保持部材を未処理のものに置き換えて組み付けた筆ペンを比較例１、実施例２のインキ保持部材を未処理のものに置き換えて組み付けたマーキングペンを比較例２とした。
【００１６】
〔性能比較試験〕
前記実施例１、２及び比較例の筆記具について軸筒を押圧、或いはペン先を筆記面に押圧することによりインキをペン先まで供給した。これらの筆記具をペン先下向きの状態で４０℃の環境下で１０日間放置した後取り出し、キャップ内を目視で観察しインキボタ落ちの有無を観察した結果を以下の表に示す。
尚、評価基準は下記の通りである。
○：キャップ内にインキボタ落ちが認められない
×：キャップ内にインキがボタ落ちしている
【表１】
2011161700.tif 000002